(57)【要約】【課題】本発明は、開閉可能な分草具を備えたコンバインの穀稈や藁屑の引っ掛かりを防止して、刈取作業の能率を高めることを目的とする。【解決手段】 本発明は、分草フレーム（１０）を、分草リヤフレーム（１０ｒ）の先端に設けた回動支点軸（１７）に、分草具（１１）を備えた分草フロントフレーム（１０ｆ）の後部を回動自在に支持して構成し、分草フロントフレーム（１０ｆ）は、刈幅方向の内側に移動させた閉状態と、刈幅方向の外側に移動させた開状態に切替可能な構成とし、分草フロントフレーム（１０ｆ）の後部から刈幅方向の外側へ向けて突設した回動操作アーム（１８）に、分草リヤフレーム（１０ｒ）の刈幅方向の外側を配索される操作ワイヤ（１９）を接続し、前記分草具（１１）には、その先端近傍から回動操作アーム（１８）のワイヤ接続部の外側に向けて、穀稈をガイドするガイド杆（２１）を設ける。【選択図】      図６
2015159736.tif 000002
【特許請求の範囲】
【請求項１】
穀稈を刈取る刈刃側から前方に向けて突設した分草フレーム（１０）のうち、側端の分草フレーム（１０）は、分草リヤフレーム（１０ｒ）の先端に設けた回動支点軸（１７）に、分草具（１１）を備えた分草フロントフレーム（１０ｆ）の後部を回動自在に支持して構成し、分草フロントフレーム（１０ｆ）は、刈幅方向の内側に移動させた閉状態と、刈幅方向の外側に移動させた開状態に切替可能な構成とし、分草フロントフレーム（１０ｆ）の後部から刈幅方向の外側へ向けて突設した回動操作アーム（１８）に、分草リヤフレーム（１０ｒ）の刈幅方向の外側を配索される操作ワイヤ（１９）を接続し、前記分草具（１１）には、その先端近傍から回動操作アーム（１８）のワイヤ接続部の外側に向けて、穀稈をガイドするガイド杆（２１）を設けてあることを特徴とするコンバイン。
【請求項２】
前記分草フレーム（１０）のうち、側端の分草フレーム（１０、１０）は、対地高さを内側の分草フレーム（１０Ｃ）よりも高く設定してあることを特徴とする請求項１記載のコンバイン。
【請求項３】
前記分草フレーム（１０）の分草フロントフレーム（１０ｆ）側と分草リヤフレーム（１０ｒ）側とには、分草具（１１）の左右の回動範囲を規制する規制手段（２４）を設けてあることを特徴とする請求項１又は請求項２記載のコンバイン。
【請求項４】
前記分草具の回動規制手段（２４）は、分草フロントフレーム（１０ｆ）側の規制係合凹部（２２）と分草リヤフレーム（１０ｒ）側の係止部材（２３）とからなり、係止部材（２３）は、引起し装置（１２）を支持する引起し支持パイプ（２５）であることを特徴とする請求項３記載のコンバイン。
【発明の詳細な説明】
【技術分野】
【０００１】
この発明は、コンバインに関する。
【背景技術】
【０００２】
従来、例えば、特許文献１には、既刈地側の分草具を左右内外へ回動自在に設け，引起しケースの背部に設けた遠隔操作レバーの左右方向の操作により、分草具を左側（内側）又は右側（外側）へ開閉操作するように構成したものが開示されている。
【先行技術文献】
【特許文献】
【０００３】
【特許文献１】特開２００６−１５８３３２号公報
【発明の概要】
【発明が解決しようとする課題】
【０００４】
上記従来構成の分草具は、内側方へ回動操作すると、分草具の回動支点軸よりも内側に閉じる構成であるため、コンバインの機体両側方に未刈取穀稈が位置する中割り作業等において、回動支点軸付近に穀稈や藁屑が引っ掛かるという問題がある。
【０００５】
本発明の課題は、開閉可能な分草具を備えたコンバインの穀稈や藁屑の引っ掛かりを防止して、刈取作業の能率を高めることを目的とする。
【課題を解決するための手段】
【０００６】
この発明は、上記課題を解決すべく次のような技術的手段を講じた。
すなわち、請求項１記載の発明は、穀稈を刈取る刈刃側から前方に向けて突設した分草フレーム（１０）のうち、側端の分草フレーム（１０）は、分草リヤフレーム（１０ｒ）の先端に設けた回動支点軸（１７）に、分草具（１１）を備えた分草フロントフレーム（１０ｆ）の後部を回動自在に支持して構成し、分草フロントフレーム（１０ｆ）は、刈幅方向の内側に移動させた閉状態と、刈幅方向の外側に移動させた開状態に切替可能な構成とし、分草フロントフレーム（１０ｆ）の後部から刈幅方向の外側へ向けて突設した回動操作アーム（１８）に、分草リヤフレーム（１０ｒ）の刈幅方向の外側を配索される操作ワイヤ（１９）を接続し、前記分草具（１１）には、その先端近傍から回動操作アーム（１８）のワイヤ接続部の外側に向けて、穀稈をガイドするガイド杆（２１）を設けてあることを特徴とするコンバインである。
【０００７】
請求項２記載の発明は、前記分草フレーム（１０）のうち、側端の分草フレーム（１０、１０）は、対地高さを内側の分草フレーム（１０Ｃ）よりも高く設定してあることを特徴とする請求項１記載のコンバインである。
【０００８】
請求項３記載の発明は、前記分草フレーム（１０）の分草フロントフレーム（１０ｆ）側と分草リヤフレーム（１０ｒ）側とには、分草具（１１）の左右の回動範囲を規制する規制手段（２４）を設けてあることを特徴とする請求項１又は請求項２記載のコンバインである。
【０００９】
請求項４記載の発明は、前記分草具の回動規制手段（２４）は、分草フロントフレーム（１０ｆ）側の規制係合凹部（２２）と分草リヤフレーム（１０ｒ）側の係止部材（２３）とからなり、係止部材（２３）は、引起し装置（１２）を支持する引起し支持パイプ（２５）であることを特徴とする請求項３記載のコンバインである。
【発明の効果】
【００１０】
請求項１記載の発明によれば、特に、中割り作業時などにおいて、外側の分草具（１１）より外側に分草される穀稈は、引き続き、分草ガイド杆（２１）の作用を受けて分草具の回動操作アーム（１８）及び操作ワイヤ（１９）との接続部付近外方まで導かれることになり、回動操作アーム（１８）やワイヤ（１９）接続部などへの穀稈の絡み付きがなく、分草具（１１）の左右回動操作に支障をきたさない。
【００１１】
請求項２記載の発明によれば、請求項１記載の発明による効果に加えて、開閉操作可能な外側の分草フレーム（１０）が、内側の中分草フレーム（１０Ｃ）よりも上方に配置してあるため、外側の分草フレーム（１０）に沿って案内される穀稈の押し倒しを抑制することができ、穀稈をスムースに導入案内することができる。
【００１２】
請求項３記載の発明によれば、請求項１又は請求項２記載の発明による効果に加えて、分草具（１１）の左右回動範囲が外側への開状態と内側への閉状態とに確実に規制ロックされるので、倒伏した穀稈にあっても分草作用を所期通り確実に行うことができる。
【００１３】
請求項４記載の発明によれば、請求項３記載の発明による効果に加えて、分草具回動規制手段の係止部材（２３）を、強度のある引起し支持パイプ（２５）が兼ねるので、構成が簡単になり、回動規制保持が安定し、強固に規制保持することができる。
【図面の簡単な説明】
【００１４】
【図１】コンバインの側面図
【図２】刈取部の要部の側面図
【図３】同上要部の正面図
【図４】分草フレームの切断正面図
【図５】刈取部の要部の側面図
【図６】同上要部の平面図
【図７】リモコン操作レバーの側面図
【図８】刈取搬送部及び脱穀部の要部の概略平面図
【図９】同上要部の側面図
【図１０】補助供給チェンの平面図
【発明を実施するための形態】
【００１５】
この発明の実施例を図面に基づき説明する。
図１は、コンバインの側面図を示すものであり、この走行車体１には、走行ミッションを介して駆動される左右一対の走行クローラ２，２を備え、後部に搭載した脱穀装置（脱穀部）３の前方部に刈取部４を設置し，刈取部４の横側部には運転席５、運転席前側のフロント操作ボックス６等からなる運転操作部を備え、更に、その運転操作部の後方には脱穀粒を一時的に貯留するグレンタンクＧを装備している。
【００１６】
刈取部４は、刈取支持フレーム７で支持され、この刈取支持フレーム７基端部（後端部）を、走行車体１上に設けた刈取懸架台によって回動自在に軸支している。そして、刈取支持フレーム７の中間部と走行車体１の間に設けた刈取昇降シリンダ８の油圧駆動による伸縮により、刈取部４が上下昇降される。
【００１７】
刈取支持フレーム７の先端部（前端部）には、左右方向の横支持フレーム９の左右中間部を連結しており、横支持フレーム９からコンバインの機体前方に向けて、分草フレーム１０を、左右所定間隔をおいて複数配置している。
【００１８】
また、刈取部４は、立毛する穀稈を左右に分草する左右の分草具１１Ｌ，１１Ｒ及びこれらの中間に配置される複数の中分草具１１Ｃと、分草後の穀稈を引き起す複数の穀稈引起し装置１２Ｌ，１２Ｃ，１２Ｒと、引起し後の穀稈を刈り取るバリカン式刈刃装置１３と、刈取後の穀稈を掻込搬送する掻込ベルト１４や掻込スターホイル１５等の掻込搬送装置、掻込搬送後の穀稈を脱穀部に揚上搬送して供給する揚上搬送装置１６等を備えている。各分草具１１は、刈刃装置１３側から前方に突設する分草フレーム１０の先端に取り付けられている。
【００１９】
右外側の分草具１１Ｒは、先端側が内側方（閉状態）又は外側方（開状態）に向けて回動するよう分草フレーム１０の前後方向途中部に設けた上下方向の回動支点軸１７回りに開閉回動可能に枢着している。なお、左外側の分草具１１Ｌも、同様に開閉回動可能とすることもできる。
【００２０】
外側の分草フレーム１０は、回動支点軸より前側分草具側分草フロントフレーム回動側１０ｆと、後側（刈刃側）の分草リヤフレーム固定側１０ｒとからなり、回動側の分草フロントフレーム１０ｆは、内側に閉状態では前後方向に平行な固定側の分草リヤフレーム１０ｒに対して回動支点軸１７より内側に折れ曲がる姿勢とし、外側への開状態では分草リヤフレーム１０ｒに対し前後方向に沿う平行状態に伸びた姿勢となるように構成している。このことにより、閉状態の分草具１１Ｒの先端部（前端部）は、回動支点軸１７よりも刈幅方向の内側（左側）に位置し、開状態の分草部１１Ｒの先端部（前端部）は、回動支点軸１７よりも刈幅方向の外側（右側）に位置する。
【００２１】
左右外側の分草フレーム１０，１０は、対地高さＨ１を内側の中分草フレーム１０Ｃの対地高さよりも上方に高く（Ｈ１＞Ｈ２）設定して分草作用時における極度の押し倒しを防ぐようにしている。
【００２２】
回動操作アーム１８は、分草具の回動支点軸１７より外側に向けて突設し分草フロントフレーム１０ｆと一体回動するようになっている。回動操作アーム１８の外端には操作ワイヤ１９をスプリング２０を介して接続し、運転位置近くに設けられた操作レバー２６の押し引き操作で、回動操作アームを前後方向に揺動変位させ、分草具を左右に開閉操作するよう連動構成している。
【００２３】
分草ガイド杆２１は、分草具１１Ｒ（１１Ｌ）先端部位から後方外側方に向けて傾斜し回動操作アーム１８のワイヤ接続部付近外方より後方位置にわたって長く延設させた構成としている。
【００２４】
回動側分草フレーム１０ｆと固定側分草フレーム１０ｒとの間には、分草具の回動開閉を規制する規制手段、つまり、回動側の規制係合凹部２２と固定側の係止部材２３とからなる回動規制手段２４を設けた構成としている。規制係合凹部２２は分草フレーム１０ｆと一体回動する構成であり、係止部材２３は、本例では引起し装置１２の下端部を装着支持する引起し支持パイプ２５を利用した構成としている。
【００２５】
以上の構成により、右外側の分草具１１Ｒを閉状態とすると、右外側の分草具１１Ｒとこれに隣り合う中分草具１１Ｃとの間に１条分の穀稈が導入される。
また、右外側の分草具１１Ｒを開状態とすると、右外側の分草具１１Ｒとこれに隣り合う中分草具１１Ｃとの間に２条分の穀稈が導入される。
【００２６】
図８〜図１０に示す別実施例について説明すると、刈取穀稈搬送装置３０の終端側に刈取穀稈を脱穀部の脱穀フィードチェン３１に受け渡し供給する供給チェン３２を設けてある構成のものにおいて、この供給チェン３２の下方に補助供給チェン３３を配置して設け、前記供給チェン３２の駆動スプロケット３４に軸着して下方に延設する駆動軸３５を上下に分割し、中間部に自在継手３６を介在させて下方の補助供給チェン３３に動力伝達可能に構成してある。そして、上部の軸３５ａを支持する軸受は、供給チェンレールに保持し、下部の軸３５ｂは、補助供給チェンの駆動スプロケット３７上部の軸受を保持するメタルに組み付けてメタルと共に着脱可能に構成している。
【００２７】
補助供給チェン３３のテンションアーム３９及びテンションスプリング４０はテンションローラ３８（チェンの軌道平面）より上方に配置構成することで、テンションローラの下方を開放することができ、搬送通路外に持ち込んだ穀稈をテンションローラやテンションスプリングに巻き付き難くすることができる。
【符号の説明】
【００２８】
１０    分草フレーム
１０ｆ  分草フロントフレーム
１０ｒ  分草リヤフレーム
１１    分草具
１２    引起し装置
１７    回動支点軸
１８    回動操作アーム
１９    操作ワイヤ
２１    分草ガイド杆
２２    規制係合凹部
２３    係止部材
２４    回動規制手段
２５    引起し支持パイプ
【図１】
2015159736.tif 000003
【図２】
2015159736.tif 000004
【図３】
2015159736.tif 000005
【図４】
2015159736.tif 000006
【図５】
2015159736.tif 000007
【図６】
2015159736.tif 000008
【図７】
2015159736.tif 000009
【図８】
2015159736.tif 000010
【図９】
2015159736.tif 000011
【図１０】
2015159736.tif 000012